【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
文書データと、該文書データに含まれるイメージデータの特徴量とを少なくとも記憶した記憶手段と、
指定された文書データ中に含まれるイメージデータとテキストデータとを抽出する抽出手段と、
前記指定された文書データ中から前記抽出手段で抽出したイメージデータの特徴量と、前記記憶手段に記憶したイメージデータの特徴量とを比較して、前記指定された文書データ中から前記抽出手段で抽出したイメージデータに類似するイメージデータを含む文書データを前記記憶手段から検出する第１検出手段と、
前記指定された文書データ中から前記抽出手段で抽出したテキストデータから辞書を使用して固有表現を抽出し、前記記憶手段に記憶した文書データの中から、前記固有表現として抽出したキーワードが含まれる文書データを検出する第２検出手段と、
前記第１検出手段で検出した文書データに含まれるイメージデータを合成した合成画像と、前記第２検出手段で検出した文書データに含まれるイメージデータを合成した合成画像との少なくとも一方を生成する生成手段と、
前記生成手段で生成された合成画像を検索結果として出力する制御を行う出力制御手段と、
を有することを特徴とする文書検索支援装置。
【請求項２】
前記記憶手段は、文書データが他の文書データの作成時に利用された文書データであるか否かを示す情報を記憶しており、
前記出力制御手段は、前記第１検出手段で検出した文書データに含まれるイメージデータを合成した前記合成画像と、前記第２検出手段手段で検出した文書データに含まれるイメージデータを合成した前記合成画像との出力順を、該文書データの利用状況に応じて変更することを特徴とする請求項１記載の文書検索支援装置。
【請求項３】
スキャナによって読み込まれたイメージデータが検索対象に指定されると、前記抽出手段で図表領域のイメージデータを抽出して、前記第１検出手段で前記図表領域のイメージデータと、前記記憶手段に記憶したイメージデータとの特徴量を比較することを特徴とする請求項１または２記載の文書検索支援装置。
【請求項４】
前記第１検出手段と前記第２検出手段との少なくとも一方は、前記記憶手段に記憶した文書データのうち、注釈が付与された文書データを検索対象とすることを特徴とする請求項１から３のいずれか一項記載の文書検索支援装置。
【請求項５】
前記第２検出手段は、文書データの属性情報を検索キーとして前記記憶手段から該属性情報の一致する文書データを検出することを特徴とする請求項１から４のいずれか一項記載の文書検索支援装置。
【請求項６】
コンピュータを、
指定された文書データ中に含まれるイメージデータとテキストデータとを抽出する抽出手段と、
文書データと、該文書データに含まれるイメージデータの特徴量とを少なくとも記憶した記憶手段を検索して、前記指定された文書データ中から前記抽出手段で抽出したイメージデータの特徴量と特徴量が類似するイメージデータを含む文書データを前記記憶手段から検出する第１検出手段と、
前記指定された文書データ中から前記抽出手段で抽出したテキストデータから辞書を使用して固有表現を抽出し、前記記憶手段に記憶した文書データの中から、前記固有表現として抽出したキーワードが含まれる文書データを検出する第２検出手段と、
前記第１検出手段で検出した文書データに含まれるイメージデータを合成した合成画像と、前記第２検出手段で検出した文書データに含まれるイメージデータを合成した合成画像との少なくとも一方を生成する生成手段と、
前記生成手段で生成された合成画像を検索結果として出力する制御を行う出力制御手段として機能させるためのコンピュータプログラム。
【手続補正２】
【補正対象書類名】明細書
【補正対象項目名】０００８
【補正方法】変更
【補正の内容】
【０００８】
かかる目的を達成するために本発明の文書検索支援装置は、文書データと、該文書データに含まれるイメージデータの特徴量とを少なくとも記憶した記憶手段と、指定された文書データ中に含まれるイメージデータとテキストデータとを抽出する抽出手段と、前記指定された文書データ中から前記抽出手段で抽出したイメージデータの特徴量と、前記記憶手段に記憶したイメージデータの特徴量とを比較して、前記指定された文書データ中から前記抽出手段で抽出したイメージデータに類似するイメージデータを含む文書データを前記記憶手段から検出する第１検出手段と、前記指定された文書データ中から前記抽出手段で抽出したテキストデータから辞書を使用して固有表現を抽出し、前記記憶手段に記憶した文書データの中から、前記固有表現として抽出したキーワードが含まれる文書データを検出する第２検出手段と、前記第１検出手段で検出した文書データに含まれるイメージデータを合成した合成画像と、前記第２検出手段で検出した文書データに含まれるイメージデータを合成した合成画像との少なくとも一方を生成する生成手段と、前記生成手段で生成された合成画像を検索結果として出力する制御を行う出力制御手段とを備える。
このように本発明は、指定された文書データに含まれるイメージデータに類似するイメージデータを含む文書データを検出して、検出した文書データに含まれるイメージメージデータを合成した合成画像や、指定文書データに含まれるテキストデータからキーワードを抽出して、抽出したキーワードが含まれる文書データに含まれるイメージデータを合成した合成画像を生成して検索結果として出力するので、検索結果として表示される文書データが所望の文書データであるか否かの判断が容易になる。
【手続補正３】
【補正対象書類名】明細書
【補正対象項目名】０００９
【補正方法】変更
【補正の内容】
【０００９】
上記文書検索支援装置において、前記記憶手段は、文書データが他の文書データの作成時に利用された文書データであるか否かを示す情報を記憶しており、前記出力制御手段は、前記第１検出手段で検出した文書データに含まれるイメージデータを合成した前記合成画像と、前記第２検出手段手段で検出した文書データに含まれるイメージデータを合成した前記合成画像との出力順を、該文書データの利用状況に応じて変更することを特徴とする。
従って、利用頻度の高い文書データの出力順を検索結果の上位にすることができる。
【手続補正４】
【補正対象書類名】明細書
【補正対象項目名】００１０
【補正方法】変更
【補正の内容】
【００１０】
上記文書検索支援装置において、スキャナによって読み込まれたイメージデータが検索対象に指定されると、前記抽出手段で図表領域のイメージデータを抽出して、前記第１検出手段で前記図表領域のイメージデータと、前記記憶手段に記憶したイメージデータとの特徴量を比較することを特徴とする。
【手続補正５】
【補正対象書類名】明細書
【補正対象項目名】００１１
【補正方法】変更
【補正の内容】
【００１１】
上記文書検索支援装置において、前記第１検出手段と前記第２検出手段との少なくとも一方は、前記記憶手段に記憶した文書データのうち、注釈が付与された文書データを検索対象とすることを特徴とする。
従って、注釈が付与された利用頻度の高い文書データを検索することができる。
【手続補正６】
【補正対象書類名】明細書
【補正対象項目名】００１２
【補正方法】変更
【補正の内容】
【００１２】
上記文書検索支援装置において、前記第２検出手段は、文書データの属性情報を検索キーとして前記記憶手段から該属性情報の一致する文書データを検出することを特徴とする。
従って、属性情報の一致する文書データを検索することができる。
【手続補正７】
【補正対象書類名】明細書
【補正対象項目名】００１３
【補正方法】変更
【補正の内容】
【００１３】
本発明のコンピュータプログラムは、コンピュータを、指定された文書データ中に含まれるイメージデータとテキストデータとを抽出する抽出手段と、文書データと、該文書データに含まれるイメージデータの特徴量とを少なくとも記憶した記憶手段を検索して、前記指定された文書データ中から前記抽出手段で抽出したイメージデータの特徴量と特徴量が類似するイメージデータを含む文書データを前記記憶手段から検出する第１検出手段と、前記指定された文書データ中から前記抽出手段で抽出したテキストデータから辞書を使用して固有表現を抽出し、前記記憶手段に記憶した文書データの中から、前記固有表現として抽出したキーワードが含まれる文書データを検出する第２検出手段と、前記第１検出手段で検出した文書データに含まれるイメージデータを合成した合成画像と、前記第２検出手段で検出した文書データに含まれるイメージデータを合成した合成画像との少なくとも一方を生成する生成手段と、前記生成手段で生成された合成画像を検索結果として出力する制御を行う出力制御手段として機能させることを特徴とする。
【手続補正８】
【補正対象書類名】明細書
【補正対象項目名】００１７
【補正方法】変更
【補正の内容】
【００１７】
文書検索支援装置１０は、図１に示すようにメッセージ送受信部１１、ページ画像生成分割部１２、特徴量抽出部（抽出手段）１３、サムネイル生成部１４、ステンドグラス（以下、ＳＧとも略記する）状画像要約作成部１５、制御部１６、更新部１７、検索実行部（第１検出手段、第２検出手段）１８、文書要素特徴管理部１９、文書管理部２０、検索結果記憶部２１を有している。
【手続補正９】
【補正対象書類名】明細書
【補正対象項目名】００２９
【補正方法】変更
【補正の内容】
【００２９】
図８（Ａ）（Ｂ）には、クライアント端末３の表示画面に表示される検索条件を入力する画面の一例を示す。
この入力画面では、検索条件を入力する画面と、オプションを設定する画面とが表示可能となっており、これらの画面をタグで切替え可能になっている。図８（Ａ）に示す検索条件の入力画面では、検索を行う文字列の入力欄３０と、検索を行う種文書を指定する入力欄３１と、属性検索の条件入力欄３２とが設けられている。
また、図８（Ｂ）に示すオプション設定画面には、注釈が付与された文書だけを検索対象とするか否かを設定する入力欄３３と、注釈が付与された文書を優先的に検索するか否かを設定する入力欄３４と、注釈の付与された文書と付与されていない文書とを区別しない設定を入力する入力欄３５と、検索結果の表示形式を指定する入力欄３６とが設けられている。
入力欄３３が入力されると、制御部１６は、注釈の付与された文書データだけを検索対象とするように検索実行部１８に指示を出す。また、入力欄３４が入力されると、制御部１６は、注釈の付与された文書データを優先的に検索するように検索実行部１８に指示を出す。また、入力欄３６が入力されると、制御部１６は、注釈の付与された文書データと付与されていない文書データとの区別をしないように検索実行部１８に指示を出す。
【手続補正１０】
【補正対象書類名】明細書
【補正対象項目名】００３０
【補正方法】変更
【補正の内容】
【００３０】
図９及び図１０には、クライアント端末３の表示画面に表示される検索結果の表示例を示す。文書名と、文書の要約と、サムネイルと、ＳＧ状画像とが表示される。また、検索結果の表示順は、図６に示す全文検索、属性検索、類似検索の何れかの一致度が高い順か、これらを総合した総合一致度が高い順に表示する。
図１０に示す表示例では、マウスポインタを検索結果として表示したサムネイルやＳＧ状画像上に移動させると、文書データの属性データ（作成者、引用者、その他に同一の図表データが出現する出現文書データなど）が表示される。
【手続補正１１】
【補正対象書類名】明細書
【補正対象項目名】００３９
【補正方法】変更
【補正の内容】
【００３９】
なお、このフローでは説明を省略したが、例えば、注釈が付与された文書データだけを検索の対象に設定したり、注釈が付与された文書のデータを優先的に検索するようにしてもよい。
【手続補正１２】
【補正対象書類名】明細書
【補正対象項目名】００４０
【補正方法】変更
【補正の内容】
【００４０】
上述した実施例は本発明の好適な実施の例である。但し、これに限定するものではなく、本発明の要旨を逸脱しない範囲内において種々変形実施が可能である。
例えば、検索結果に所望とする図表データが含まれていなかった場合、クライアント端末３に検索結果を表示して、ユーザが検索結果から所望とする図表データに類似する図表データに注釈を付与する。
制御部１６は新たに注釈が付与された図表データに類似する図表データを検索実行部１８で検索させる。